(57)【要約】【課題】連続的に共振周波数を変化させる共振器及び共振方法を提供する。【解決手段】本発明の共振器は、インダクターと、キャパシタと、インダクター及びキャパシタの共振周波数を設定するために、選択時間区間の間にインダクター及びキャパシタのうちの少なくとも１つにエネルギーを維持させ、他の時間区間の間にインダクター及びキャパシタのうちの少なくとも１つにエネルギー変化を起こさせるためのスイッチと、を備える。【選択図】図１
2017098956.tif 000002
【特許請求の範囲】
【請求項１】
インダクターと、
キャパシタと、
前記インダクター及び前記キャパシタの共振周波数を設定するために、選択時間区間の間に前記インダクター及び前記キャパシタのうちの少なくとも１つにエネルギーを維持させ、他の時間区間の間に前記インダクター及び前記キャパシタのうちの少なくとも１つにエネルギー変化を起こさせるためのスイッチと、を備えることを特徴とする共振器。
【請求項２】
前記選択時間区間は、前記インダクター及び前記キャパシタの共振周波数を多様に変化させるために、様々な時間区間のうちから選択されることを特徴とする請求項１に記載の共振器。
【請求項３】
前記スイッチは、コントローラからの制御信号に基づいて前記選択時間区間及び前記他の時間区間により選択的に動作し、
前記制御信号は、前記様々な時間区間のうちから選択される前記選択時間区間を示して前記インダクター及び前記キャパシタを含むＬＣ回路と他のＬＣ回路との共振マッチングを最大化する時間区間になるように前記コントローラによって決定され、
前記他のＬＣ回路は、前記ＬＣ回路と前記他のＬＣ回路との間に無線電力伝送動作を行うための外部共振器のＬＣ回路であることを特徴とする請求項２に記載の共振器。
【請求項４】
前記共振器は、前記コントローラを含む携帯用電子装置に含まれ、
前記スイッチは、無線通信機におけるバックスキャッタリング回路を構成するための、前記共振器のＬＣ回路のバックスキャッタースイッチであることを特徴とする請求項３に記載の共振器。
【請求項５】
前記キャパシタは、固定容量を有し、
前記インダクターは、固定インダクタンスを有し、
前記キャパシタ及び前記インダクターは、前記様々な時間区間のうちから選択される前記選択時間区間により複数の共振周波数を生成することを特徴とする請求項３に記載の共振器。
【請求項６】
前記スイッチは、設定された共振周波数を補償するための制御信号を生成するコントローラによって提供される前記制御信号に応答し、第１時間区間の間に前記インダクター及び前記キャパシタのうちの少なくとも１つにエネルギーを維持させて共振周波数の補償を行うように動作し、第２時間区間の間に前記インダクター及び前記キャパシタのうちの少なくとも１つにエネルギーを維持させず共振周波数の補償を行わないように動作することを特徴とする請求項１に記載の共振器。
【請求項７】
前記スイッチは、前記インダクターに並列接続されることを特徴とする請求項１に記載の共振器。
【請求項８】
前記スイッチは、前記キャパシタに直列接続されることを特徴とする請求項１に記載の共振器。
【請求項９】
前記インダクターと前記キャパシタとは、並列接続されることを特徴とする請求項１に記載の共振器。
【請求項１０】
前記インダクターと前記キャパシタとは、直列接続されることを特徴とする請求項１に記載の共振器。
【請求項１１】
前記スイッチは、
第１選択時間区間の間に前記インダクターにエネルギーを維持させるための第１スイッチと、
第２選択時間区間の間に前記キャパシタにエネルギーを維持させるための第２スイッチと、を含み、
前記第１スイッチは、前記インダクターに並列接続され、
前記第２スイッチは、前記キャパシタに直列接続されることを特徴とする請求項１に記載の共振器。
【請求項１２】
前記第１選択時間区間は、前記第２選択時間区間に同期し、前記第１スイッチがオフ（オープン）されるように制御される間に前記第２スイッチがオン（クローズ）され、前記第１スイッチがオンされるように制御される間に前記第２スイッチがオフされることを特徴とする請求項１１に記載の共振器。
【請求項１３】
前記キャパシタは、前記インダクターの寄生キャパシタであることを特徴とする請求項１に記載の共振器。
【請求項１４】
前記キャパシタ及び前記インダクターを含むＬＣ回路は、追加的なキャパシタなしで前記設定された共振周波数を生成することを特徴とする請求項１３に記載の共振器。
【請求項１５】
前記インダクター及び前記キャパシタのうちの少なくとも１つの電気エネルギー特性に基づいて前記共振周波数を設定するように前記スイッチを制御するコントローラを更に含むことを特徴とする請求項１に記載の共振器。
【請求項１６】
前記コントローラは、前記スイッチの動作時間範囲を第１動作時間範囲から第２動作時間範囲まで変化させながら前記電気エネルギー特性を示す値を検出し、前記共振周波数を設定するために、検出された値のうちから最大値に対応する前記スイッチの決定された動作時間範囲により前記スイッチの動作を制御することを特徴とする請求項１５に記載の共振器。
【請求項１７】
前記コントローラは、前記スイッチの動作時間範囲を前記スイッチのオン又はオフにより所定回数まで変化させながら電気エネルギー特性を示す値を検出し、前記共振周波数を設定するために、検出された値のうちから最大値に対応する前記スイッチの決定された動作時間範囲により前記スイッチの動作を制御することを特徴とする請求項１５に記載の共振器。
【請求項１８】
前記電気エネルギー特性は、前記インダクターの電流の値及び前記キャパシタの電圧の値のうちの少なくとも１つを含むことを特徴とする請求項１５に記載の共振器。
【請求項１９】
共振器のインダクター及びキャパシタの共振周波数を設定するために、選択時間区間の間に前記インダクター及び前記キャパシタのうちの少なくとも１つにエネルギーを維持させ、前記選択時間区間と異なる他の時間区間の間に前記インダクター及び前記キャパシタのうちの少なくとも１つにエネルギー変化を起こさせるように前記共振器の動作を制御するステップを有することを特徴とする共振方法。
【請求項２０】
前記共振器の動作を制御するステップは、前記共振器のスイッチのオン又はオフによって電気エネルギーの維持と電気エネルギー変化とを制御することを特徴とする請求項１９に記載の共振方法。
【請求項２１】
前記インダクター及び前記キャパシタのうちの少なくとも１つの電気エネルギー特性を検出するステップを更に含み、
前記共振器の動作を制御するステップは、前記検出された電気エネルギー特定に基づいて前記共振周波数を設定するステップを含むことを特徴とする請求項２０に記載の共振方法。
【請求項２２】
前記電気エネルギー特性を検出するステップは、前記スイッチの動作時間範囲を第１動作時間範囲から第２動作時間範囲まで変化させながら電気エネルギー特性を示す値を検出するステップを含み、
前記共振器の動作を制御するステップは、前記共振周波数を設定するために、検出された値のうちから最大値に対応する前記スイッチの決定された動作時間範囲により前記スイッチの動作を制御するステップを含むことを特徴とする請求項２１に記載の共振方法。
【請求項２３】
前記電気エネルギー特性を検出するステップは、前記スイッチの動作時間範囲を前記スイッチのオン又はオフにより所定回数まで変化させながら電気エネルギー特性を示す値を検出するステップを含み、
前記共振器の動作を制御するステップは、前記共振周波数を設定するために、検出された値のうちから最大値に対応する前記スイッチの決定された動作時間範囲により前記スイッチの動作を制御するステップを含むことを特徴とする請求項２１に記載の共振方法。
【請求項２４】
前記電気エネルギー特性は、前記インダクターの電流の値及び前記キャパシタの電圧の値のうちの少なくとも１つを含むことを特徴とする請求項２１に記載の共振方法。
【請求項２５】
前記スイッチは、前記インダクターに並列接続されることを特徴とする請求項２０に記載の共振方法。
【請求項２６】
前記スイッチは、前記キャパシタに直列接続されることを特徴とする請求項２０に記載の共振方法。
【請求項２７】
前記インダクターと前記キャパシタとは、並列接続されることを特徴とする請求項１９に記載の共振方法。
【請求項２８】
前記インダクターと前記キャパシタとは、直列接続されることを特徴とする請求項１９に記載の共振方法。
【請求項２９】
前記共振器の動作を制御するステップは、
第１選択時間区間の間に前記インダクターにエネルギーを維持させるように第１スイッチを制御するステップと、
第２選択時間区間の間に前記キャパシタにエネルギーを維持させるように第２スイッチを制御するステップと、を含み、
前記第１スイッチは、前記インダクターに並列接続され、
前記第２スイッチは、前記キャパシタに直列接続されることを特徴とする請求項１９に記載の共振方法。
【請求項３０】
前記キャパシタは、前記インダクターの寄生キャパシタであることを特徴とする請求項１９に記載の共振方法。
【請求項３１】
１つ以上の処理装置に請求項１９に記載の共振方法を実行させるためのプログラムを記録したコンピュータ読み取り可能な記録媒体。
【請求項３２】
固定インダクタンス及び固定容量を有するＬＣ回路と、
前記ＬＣ回路の一部を変更することなく前記ＬＣ回路の共振周波数を設定するために、様々な選択時間区間の間に選択的に前記ＬＣ回路のエネルギーを維持させる共振周波数制御回路と、を備えることを特徴とする共振器。
【請求項３３】
前記ＬＣ回路は、
前記固定インダクタンスを有するインダクターと、
前記固定容量を有するキャパシタと、を含むことを特徴とする請求項３２に記載の共振器。
【請求項３４】
前記共振周波数制御回路は、前記様々な選択時間区間のうちの残りの選択時間区間によって提供されるエネルギーレベルと比較して前記ＬＣ回路内で最大エネルギーレベルを有する前記ＬＣ回路の補償された共振周波数を設定するために、前記様々な選択時間区間から補償時間区間を決定するコントローラを含むことを特徴とする請求項３２に記載の共振器。
【発明の詳細な説明】
【技術分野】
【０００１】
本発明は、共振器及び共振方法に関する。
【背景技術】
【０００２】
無線電力伝送分野に用いられる共振器の場合にＬＣ共振器が多く用いられている。ＬＣ共振器の場合、共振周波数はインダクターのインダクタンスとキャパシタの容量とによって決定されて固定される。
【０００３】
最初に設定された共振周波数は、送信端（又は送信機）と受信端（又は受信機）との間の様々な要因によって相互でずれることがある。そのため、各状況に適するように共振周波数を適切に合わせるために、送信端又は受信端で共振周波数を補償しなければならない。また、無線電力伝送分野で、共振マッチングによって電力を送信することは、送信端又は受信端のいずれか１つに対して共振を調整することが求められる。
【０００４】
一般的な周波数補償方法は、共振器に用いられる個別インダクター及びキャパシタのうちの少なくとも１つの素子値を直接又は間接的に変える方法である。例えば、インダクターの場合には長いコイルを備え、長いコイルの中間地点を先に用いる。共振器の共振周波数を変えなければならない場合、長いコイルの中間地点の位置を変えて実際のインダクタンスを調整する。同じ方法で、キャパシタの場合には、予め様々な値を有するキャパシタを備えておいて必要な値をスイッチングして値を変えて用いる。
【０００５】
即ち、従来におけるＬＣ共振器の周波数を補償するためには、様々な値を有するインダクター及びキャパシタを予め備え、適切な値を選択して共振周波数を変化させる。これは非連続的な共振周波数の中から選択することであり、様々な共振周波数を選択するためには、それに伴うスイッチ素子などが必要な素子数に比例して増加することになる。
【発明の概要】
【発明が解決しようとする課題】
【０００６】
本発明は、上記従来の問題点に鑑みてなされたものであって、本発明の目的は、共振器の共振素子にエネルギーを維持させるエネルギー維持区間を設けて維持される時間を変化させながら連続的に共振周波数を変化させる共振器及び共振方法を提供することにある。
【課題を解決するための手段】
【０００７】
上記目的を達成するためになされた本発明の一態様による共振器は、インダクターと、キャパシタと、前記インダクター及び前記キャパシタの共振周波数を設定するために、選択時間区間の間に前記インダクター及び前記キャパシタのうちの少なくとも１つにエネルギーを維持させ、他の時間区間の間に前記インダクター及び前記キャパシタのうちの少なくとも１つにエネルギー変化を起こさせるためのスイッチと、を備える。
【０００８】
前記選択時間区間は、前記インダクター及び前記キャパシタの共振周波数を多様に変化させるために、様々な時間区間のうちから選択され得る。
前記スイッチは、コントローラからの制御信号に基づいて前記選択時間区間及び前記他の時間区間により選択的に動作し、前記制御信号は、前記様々な時間区間のうちから選択される前記選択時間区間を示して前記インダクター及び前記キャパシタを含むＬＣ回路と他のＬＣ回路との共振マッチングを最大化する時間区間になるように前記コントローラによって決定され、前記他のＬＣ回路は、前記ＬＣ回路と前記他のＬＣ回路との間に無線電力伝送動作を行うための外部共振器のＬＣ回路であり得る。
前記共振器は、前記コントローラを更に含む携帯用電子装置に含まれ、前記スイッチは、無線通信機におけるバックスキャッタリング回路を構成するための、前記共振器のＬＣ回路のバックスキャッタースイッチであり得る。
前記キャパシタは、固定容量を有し、前記インダクターは、固定インダクタンスを有し、前記キャパシタ及び前記インダクターは、前記様々な時間区間のうちから選択される前記選択時間区間により複数の共振周波数を生成し得る。
前記スイッチは、前記設定された共振周波数を補償するための制御信号を生成するコントローラによって提供される前記制御信号に応答し、第１時間区間の間に前記インダクター及び前記キャパシタのうちの少なくとも１つにエネルギーを維持させて共振周波数の補償を行うように動作し、第２時間区間の間に前記インダクター及び前記キャパシタのうちの少なくとも１つにエネルギーの維持させず共振周波数の補償を行わないように動作し得る。
前記スイッチは、前記インダクターに並列接続され得る。
前記スイッチは、前記キャパシタに直列接続され得る。
前記インダクターと前記キャパシタとは、並列接続され得る。
前記インダクターと前記キャパシタとは、直列接続され得る。
前記スイッチは、第１選択時間区間の間に前記インダクターにエネルギーを維持させるための第１スイッチと、第２選択時間区間の間に前記キャパシタにエネルギーを維持させるための第２スイッチと、を含み、前記第１スイッチは、前記インダクターに並列接続され、前記第２スイッチは、前記キャパシタに直列接続され得る。
前記第１選択時間区間は、前記第２選択時間区間に同期し、前記第１スイッチがオフ（オープン）されるように制御される間に前記第２スイッチがオン（クローズ）され、前記第１スイッチがオンされるように制御される間に前記第２スイッチがオフされ得る。
前記キャパシタは、前記インダクターの寄生キャパシタであり得る。
前記キャパシタ及び前記インダクターを含むＬＣ回路は、追加的なキャパシタなしで前記設定された共振周波数を生成し得る。
前記共振器は、前記インダクター及び前記キャパシタのうちの少なくとも１つの電気エネルギー特性に基づいて前記共振周波数を設定するように前記スイッチを制御するコントローラを更に含み得る。
前記コントローラは、前記スイッチの動作時間範囲を第１動作時間範囲から第２動作時間範囲まで変化させながら前記電気エネルギー特性を示す値を検出し、前記共振周波数を設定するために、検出された値のうちから最大値に対応する前記スイッチの決定された動作時間範囲により前記スイッチの動作を制御し得る。
前記コントローラは、前記スイッチの動作時間範囲を前記スイッチのオン又はオフにより所定回数まで変化させながら電気エネルギー特性を示す値を検出し、前記共振周波数を設定するために、検出された値のうちから最大値に対応する前記スイッチの決定された動作時間範囲により前記スイッチの動作を制御し得る。
前記電気エネルギー特性は、前記インダクターの電流の値及び前記キャパシタの電圧の値のうちの少なくとも１つを含み得る。
【０００９】
上記目的を達成するためになされた本発明の一態様による共振方法は、共振器のインダクター及びキャパシタの共振周波数を設定するために、選択時間区間の間に前記インダクター及び前記キャパシタのうちの少なくとも１つにエネルギーを維持させ、前記選択時間区間と異なる他の時間区間の間に前記インダクター及び前記キャパシタのうちの少なくとも１つにエネルギー変化を起こさせるように前記共振器の動作を制御するステップを有する。
【００１０】
前記共振器の動作を制御するステップは、前記共振器のスイッチのオン又はオフによって電気エネルギーの維持と電気エネルギー変化とを制御し得る。
前記共振方法は、前記インダクター及び前記キャパシタのうちの少なくとも１つの電気エネルギー特性を検出するステップを更に含み、前記共振器の動作を制御するステップは、前記検出された電気エネルギー特定に基づいて前記共振周波数を設定するステップを含み得る。
前記電気エネルギー特性を検出するステップは、前記スイッチの動作時間範囲を第１動作時間範囲から第２動作時間範囲まで変化させながら電気エネルギー特性を示す値を検出するステップを含み、前記共振器の動作を制御するステップは、前記共振周波数を設定するために、検出された値のうちから最大値に対応する前記スイッチの決定された動作時間範囲により前記スイッチの動作を制御するステップを含み得る。
前記電気エネルギー特性を検出するステップは、前記スイッチの動作時間範囲を前記スイッチのオン又はオフにより所定回数まで変化させながら電気エネルギー特性を示す値を検出するステップを含み、前記共振器の動作を制御するステップは、前記共振周波数を設定するために、検出された値のうちから最大値に対応する前記スイッチの決定された動作時間範囲により前記スイッチの動作を制御するステップを含み得る。
前記電気エネルギー特性は、前記インダクターの電流の値及び前記キャパシタの電圧の値のうちの少なくとも１つを含み得る。
前記スイッチは、前記インダクターに並列接続され得る。
前記スイッチは、前記キャパシタに直列接続され得る。
前記インダクターと前記キャパシタとは、並列接続され得る。
前記インダクターと前記キャパシタとは、直列接続され得る。
前記共振器の動作を制御するステップは、第１選択時間区間の間に前記インダクターにエネルギーを維持させるように第１スイッチを制御するステップと、第２選択時間区間の間に前記キャパシタにエネルギーを維持させるように第２スイッチを制御するステップと、を含み、前記第１スイッチは、前記インダクターに並列接続され、前記第２スイッチは、前記キャパシタに直列接続され得る。
前記キャパシタは、前記インダクターの寄生キャパシタであり得る。
【００１１】
上記目的を達成するためになされた本発明の他の態様による共振器は、固定インダクタンス及び固定容量を有するＬＣ回路と、前記ＬＣ回路の一部を変更することなく前記ＬＣ回路の共振周波数を設定するために、様々な選択時間区間の間に選択的に前記ＬＣ回路のエネルギーを維持させる共振周波数制御回路と、を備える。
【００１２】
前記ＬＣ回路は、前記固定インダクタンスを有するインダクターと、前記固定容量を有するキャパシタと、を含み得る。
前記共振周波数制御回路は、前記様々な選択時間区間のうちの残りの選択時間区間によって提供されるエネルギーレベルと比較して前記ＬＣ回路内で最大エネルギーレベルを有する前記ＬＣ回路の補償された共振周波数を設定するために、前記様々な選択時間区間から補償時間区間を決定するコントローラを含み得る。
【発明の効果】
【００１３】
本発明によると、共振器の共振素子にエネルギーを維持させるエネルギー維持区間を設けて維持される時間を変化させながら連続的に共振周波数を変化させることができる。
【図面の簡単な説明】
【００１４】
【図１】一実施形態による共振器の概略的なブロック図である。
【図２】図１に示す共振器の周波数補償動作を説明するための概念図である。
【図３】図１に示す共振器の第１例の回路図である。
【図４】図１に示す共振器の第２例の回路図である。
【図５】図１に示す共振器の第３例の回路図である。
【図６】図１に示す共振器の第４例の回路図である。
【図７】図１に示す共振器の第５例の回路図である。
【図８】図１に示す共振器の第６例の回路図である。
【図９】図１に示す共振器の第７例の回路図である。
【図１０】図１に示すコントローラの動作方法の一例を説明するための図である。
【図１１】図１０に示す共振器の設定初期に最適な共振周波数を決定する動作方法のフローチャートである。
【図１２】図１０に示す共振器の設定された共振周波数がずれた場合の共振周波数を補償する動作方法のフローチャートである。
【図１３】図１に示すコントローラの動作方法の他の例を説明するための図である。
【図１４】図１３に示す共振器の設定初期に最適な共振周波数を決定する動作方法のフローチャートである。
【図１５】図１３に示す共振器の設定された共振周波数がずれた場合の共振周波数を補償する動作方法のフローチャートである。
【図１６】図１に示すコントローラの動作方法の更なる例を説明するための図である。
【図１７】図１６に示す共振器の設定初期に最適な共振周波数を決定する動作方法のフローチャートである。
【図１８】図１６に示す共振器の設定された共振周波数がずれた場合の共振周波数を補償する動作方法のフローチャートである。
【図１９】図１に示す共振器の動作方法を説明するためのフローチャートである。
【発明を実施するための形態】
【００１５】
本実施形態に対する特定の構造的又は機能的な説明は、単に例示のための目的として開示したものであって、様々な形態に変更されて実施され得る。従って、本実施形態は特定の開示形態に限定されるのではなく、本明細書の範囲は技術的な思想に含まれる変更、均等物、又は代替物を含む。
【００１６】
第１又は第２などの用語を複数の構成要素を説明するために用いることがあるが、このような用語は１つの構成要素を他の構成要素から区別する目的としてのみに解釈されなければならない。例えば、第１構成要素を第２構成要素と命名し、同様に第２構成要素を第１構成要素と命名する。
【００１７】
いずれかの構成要素が他の構成要素に「連結されて」いると言及した場合、その次の構成要素に直接的に連結されてもよく、又は中間に他の構成要素が存在することもある。
【００１８】
単数の表現は、文脈上、明白に異なる意味をもたない限り複数の表現を含む。本明細書において、「含む」又は「有する」等の用語は、明細書上に記載した特徴、数字、ステップ、動作、構成要素、部品、又はこれらを組合せたものが存在することを示すものであって、１つ又はそれ以上の他の特徴や数字、ステップ、動作、構成要素、部品、又はこれらを組合せたものなどの存在又は付加の可能性を予め排除しない。
【００１９】
異なる定義さがれない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００２０】
以下、本発明を実施するための形態の具体例を、図面を参照しながら詳細に説明する。図面を参照して説明する際に、図面符号に関係なく同一の構成要素には同一の参照符号を付与し、これに対する重複説明を省略する。
【００２１】
図１は、一実施形態による共振器の概略的なブロック図であり、図２は、図１に示す共振器の周波数補償動作を説明するための概念図である。
【００２２】
図１及び図２を参照すると、共振器１００は、インダクター１１０、キャパシタ１３０、スイッチ１５０、及びコントローラ１７０を含む。
【００２３】
共振器１００は、インダクター１１０とキャパシタ１３０との共振現象を用いて特定周波数、例えば共振周波数の波又は振動を発生する。このような共振器１００は、フィルタ、発振器、周波数カウンタ、同調増幅器、レーザなどに用いられる。また、共振器１００は、通信技術、医療技術、無線電力伝送技術などに用いられる。
【００２４】
共振器１００の共振周波数は、周辺環境などの様々な要因によってずれることがある。ここで、共振器１００は、ずれた共振周波数を適切に補償する必要がある。一実施形態において、共振マッチングは、２以上の共振器１００の間で行われ、例えば共振器１００は互いに一致するように自身の共振周波数を制御及び／又は補償する。
【００２５】
スイッチ１５０は、インダクター１１０及びキャパシタ１３０のうちの少なくとも１つにエネルギーを所定時間の間に維持させる。例えば、スイッチ１５０は、コントローラ１７０の制御に応じてインダクター１１０及びキャパシタ１３０のうちの少なくとも１つにエネルギーを所定時間の間に維持させる。インダクター１１０で維持されるエネルギーは、インダクター電流によって表現される磁気エネルギーに維持され、キャパシタ１３０で維持されるエネルギーはキャパシタ電圧によって表現される電気エネルギーに維持される。
【００２６】
一例として、共振器１００は、スイッチ１５０の選択動作に応じてインダクター１１０にエネルギーを所定時間の間に維持させた後、維持されたエネルギーをキャパシタ１３０に渡すことで継続して共振現象を起こす。
【００２７】
他の例として、共振器１００は、スイッチ１５０の選択動作に応じてキャパシタ１３０にエネルギーを所定時間の間に維持させた後、維持されたエネルギーをインダクター１１０に渡すことで継続して共振現象を起こす。
【００２８】
更なる例として、共振器１００は、スイッチ１５０の選択動作に応じてインダクター１１０及びキャパシタ１３０にエネルギーを所定時間の間に維持させた後、継続して共振現象を起こす。
【００２９】
即ち、共振器１００は、スイッチ１５０の選択動作によってインダクター１１０及びキャパシタ１３０のうちの少なくとも１つにエネルギーを所定時間の間に維持させた後、継続して共振現象を起こす。
【００３０】
共振器１００の共振周波数を補償する前に、共振器１００の共振周波数（例えば、ｆｒ＝１／Ｔ）は数式（１）のように表される。
【００３１】
【数１】
2017098956.tif 000003
【００３２】
図２（ａ）及び（ｂ）に示すように、共振器１００の共振周波数ｆｒを補償すると、共振器１００の共振周期Ｔ’は既存の周期Ｔに対してインダクター１１０及びキャパシタ１３０のうちの少なくとも１つにエネルギーを維持させた時間ｔｄだけ増加する。即ち、共振周期Ｔ’は数式（２）のように表される。
【００３３】
【数２】
2017098956.tif 000004
【００３４】
ここで、αを、既存の周期Ｔ対エネルギーを維持させた時間（例えば、エネルギー維持区間）の比率として定義すると、数式（３）のように表される。
【００３５】
【数３】
2017098956.tif 000005
【００３６】
数式（２）に数式（３）を代入すると、数式（２）は数式（４）のように再び表される。
【００３７】
【数４】
2017098956.tif 000006
【００３８】
数式（４）に数式（１）を代入すると、共振器１００の補償された共振周波数ｆｒ’は数式（５）のように表される。
【００３９】
【数５】
2017098956.tif 000007
【００４０】
即ち、共振器１００は、スイッチ１５０によってインダクター１１０及びキャパシタ１３０のうちの少なくとも１つにエネルギーを所定時間の間に維持させることで共振周波数を変化させる。
【００４１】
コントローラ１７０は、共振器１００の全般的な動作を制御する。例えば、コントローラ１７０は、各構成要素（１１０、１３０、１５０）の動作を制御する。
【００４２】
コントローラ１７０は、スイッチ１５０の選択的な動作を制御する。例えば、コントローラ１７０は、インダクター１１０及びキャパシタ１３０のうちの少なくとも１つに関する値に基づいてスイッチ１５０の動作時間、例えば選択動作の間にスイッチ１５０がどれ程長く選択的に動作するかを制御する。コントローラ１７０がスイッチ１５０の動作時間を制御することで、インダクター１１０及びキャパシタ１３０のうちの少なくとも１つにエネルギーを維持させる時間（又は、エネルギー維持区間）が変化する。スイッチ１５０の動作時間はオン・オフ時間を意味し、オン時間及び／又はオフ時間を含む。
【００４３】
ここで、共振器１００は、インダクター１１０及びキャパシタ１３０のうちの少なくとも１つにエネルギーを維持させるエネルギー維持区間を設け、コントローラ１７０によってスイッチ１５０の動作（又はオン・オフ）タイミングを制御してエネルギーを維持させる時間を変化させることで継続する共振周波数に対する周波数を補償（又は変更）する。
【００４４】
また、共振器１００は、インダクター１１０及びキャパシタ１３０から成る他の追加的なインダクター及びキャパシタが求められないため、その面積を減らすことができる。
【００４５】
以下、図３〜図９を参照して共振器１００の回路図の多様な例について説明する。図１、図３（ａ）、図４（ａ）、図５〜図１０、図１３、及び図１６では、コントローラ１７０を別途に、ＬＣ回路を別途の一点鎖線に示し、コントローラ１７０をＬＣ回路から切り離して示しているが、これに限定されることはない。
【００４６】
図３〜図５は、共振器１００のインダクター１１０とキャパシタ１３０とが並列に接続された場合である。
【００４７】
図３は、図１に示す共振器の第１例の回路図である。
【００４８】
図３（ａ）及び（ｂ）を参照すると、スイッチ１５０は、インダクター１１０にエネルギーを所定時間の間に維持させるためのスイッチである。例えば、スイッチ１５０はインダクター１１０に並列接続される。
【００４９】
インダクター１１０とキャパシタ１３０とが互いに電流及び電圧の形態で磁気エネルギーと電気エネルギーとを互いにやり取りしている状況で、スイッチ１５０は、コントローラ１７０の制御に応じてインダクター１１０に流れる電流が最も大きい地点（例えば、キャパシタ１３０の電圧が０である地点）でオン（例えば、短絡）になる。
【００５０】
ここで、インダクター１１０に負荷される両端電圧は０Ｖであるため、インダクター１１０の電流はそのまま維持される。即ち、インダクター１１０の磁気エネルギーは維持されている状態である。
【００５１】
スイッチ１５０が所定時間だけオンされた後にオフすると、インダクター１１０に維持されていた磁気エネルギーはキャパシタ１３０に伝達される。
【００５２】
共振器１００は、スイッチ１５０によってインダクター１１０にエネルギーを所定時間の間に維持させた後、維持されたエネルギーをキャパシタ１３０に渡すことで継続して共振現象を起こす。
【００５３】
共振器１００が無線電力伝送システムに具現される場合、インダクター１１０及びキャパシタ１３０に並列接続されたスイッチ１５０は、無線通信機におけるバックスキャッタリング回路を構成するバックスキャッターのためのスイッチであり得る。ここで、既存のスイッチは、インダクター１１０にエネルギーを所定時間の間に維持させるためのスイッチとして動作する。即ち、別途のスイッチを追加する必要がない。
【００５４】
図４は、図１に示す共振器の第２例の回路図である。
【００５５】
図４（ａ）及び（ｂ）を参照すると、スイッチ１５０は、キャパシタ１３０にエネルギーを所定時間の間に維持させるためのスイッチである。例えば、スイッチ１５０はキャパシタ１３０に直列接続される。
【００５６】
インダクター１１０とキャパシタ１３０とが互いに電流及び電圧の形態で磁気エネルギーと電気エネルギーとを互いにやり取りしている状況で、スイッチ１５０は、コントローラ１７０の制御に応じてキャパシタ１３０の電圧が最も大きい地点（例えば、インダクター１１０の電流が０である地点）でオフになる。
【００５７】
ここで、キャパシタ１３０に流れる電流は０Ａであるため、キャパシタ１３０の電圧はそのまま維持される。即ち、キャパシタ１３０の電気エネルギーは維持されている状態である。
【００５８】
スイッチ１５０が所定時間だけオフされた後にオンすると、キャパシタ１３０に維持されていた電気エネルギーはインダクター１１０に伝達される。
【００５９】
共振器１００は、スイッチ１５０によってキャパシタ１３０にエネルギーを所定時間の間に維持させた後、維持されたエネルギーをインダクター１１０に渡すことで継続して共振現象を起こす。
【００６０】
図５は、図１に示す共振器の第３例の回路図である。
【００６１】
図５を参照すると、スイッチ１５０は、インダクター１１０及びキャパシタ１３０にエネルギーを所定時間の間に維持させるためのスイッチである。
【００６２】
図３（ａ）及び図４（ａ）では、スイッチ１５０によっていずれか１つ（１１０又は１３０）にエネルギーを維持させる共振器１００について説明したが、エネルギーの損失なしでいずれか１つ（１１０又は１３０）にエネルギーを維持させるためには、スイッチ１５０の動作タイミング、例えばオン又はオフタイミングをいずれか１つ（１１０又は１３０）のエネルギー最高点に合わせなければならない。
【００６３】
例えば、図３（ａ）に示すインダクター１１０で磁気エネルギーが最高点ではない状態でスイッチ１５０がオンすると、キャパシタ１３０にまだ伝達されていない電気エネルギーが残り、残っている電気エネルギーは熱エネルギーとして消耗されてしまう。また、図４（ａ）に示すキャパシタ１３０で電気エネルギーが最高点ではない状態でスイッチ１５０がオフすると、インダクター１１０にまだ伝達されていない磁気エネルギーが残り、残っている磁気エネルギーは熱エネルギーとして消耗されてしまう。
【００６４】
図５に示すスイッチ１５０は、コントローラ１７０の制御に応じてインダクター１１０及びキャパシタ１３０の２つのエネルギーを両方維持させる。スイッチ１５０は、キャパシタ１３０にエネルギーを所定時間の間に維持させるための第１スイッチ１５１、及びインダクター１１０にエネルギーを所定時間の間に維持させるための第２スイッチ１５３を含む。
【００６５】
コントローラ１７０は、第１スイッチ１５１と第２スイッチ１５３とのオン・オフタイミングをそれぞれ相違するように制御する。例えば、コントローラ１７０は、インダクター１１０の磁気エネルギーとキャパシタ１３０の電気エネルギーとが互いに位相反転されるように第１スイッチ１５１と第２スイッチ１５３とのオン・オフタイミングをそれぞれ相違するように制御する。
【００６６】
ここで、インダクター１１０の磁気エネルギー及びキャパシタ１３０の電気エネルギーのそれぞれは、第１スイッチ１５１及び第２スイッチ１５３の動作タイミングに合わせてそのまま維持される。その後、第１スイッチ１５１及び第２スイッチ１５３が反対に動作すると、インダクター１１０とキャパシタ１３０とはエネルギーを交換する。即ち、インダクター１１０及びキャパシタ１３０は互いに維持されたエネルギーポイントから適切に共振を再度始める。
【００６７】
共振器１００は、第１スイッチ１５１及び第２スイッチ１５３によってインダクター１１０及びキャパシタ１３０にエネルギーを所定時間の間に維持させた後、エネルギーの損失なしで維持されたエネルギーをインダクター１１０とキャパシタ１３０とが相互にやり取りしながら継続して共振現象を起こす。
【００６８】
図３〜図５を参照して説明したように、スイッチ１５０が所定周期（例えば、半周期）毎に所定時間だけオン又はオフを繰り返すと、共振器１００の共振周期は増加する。ここで、共振器１００の共振周波数は、インダクター１１０及びキャパシタ１３０によって決定される共振周波数よりも遅く（低く）なるように変更される。
【００６９】
図６〜図８は、図１に示す共振器の第４例〜第６例の回路図である。
【００７０】
図６〜図８は、共振器１００のインダクター１１０とキャパシタ１３０とが直列に接続された場合である。図６〜図８に示す共振器１００は、図３〜図５に示す共振器１００と、インダクター１１０及びキャパシタ１３０の接続構造のみが異なるだけであって、図６〜図８に示す共振器１００の各構成（１１０、１３０、１５０、及び１７０）の動作は、図３〜図５に示す共振器１００の各構成（１１０、１３０、１５０、及び１７０）の動作と実質的に同一である。即ち、図３〜図５を参照して説明した共振器１００の動作は、図６〜図８に示す共振器１００に適用される。
【００７１】
図９は、図１に示す共振器の第７例の回路図である。
【００７２】
図９を参照すると、スイッチ１５０は、インダクター１１０にエネルギーを所定時間の間に維持させるためのスイッチである。例えば、スイッチ１５０はインダクター１００に並列接続される。
【００７３】
キャパシタ１３０はインダクター１１０の寄生キャパシタである。既存に比べて少ないキャパシタを用いて同一の共振周期を有することができ、共振器１００のキャパシタ１３０のサイズを限界値まで減らした場合に、インダクター１１０の寄生キャパシタが用いられる。ここで、キャパシタ１３０がインダクター１１０の寄生キャパシタに代替されることで、共振器１００の素子の面積を更に減らすことができる。
【００７４】
図９に示す共振器１００の各構成の動作（１１０、１３０、１５０、及び１７０）は図３に示す共振器１００の各構成（１１０、１３０、１５０、及び１７０）の動作と実質的に同一である。即ち、図３を参照して説明した共振器１００の動作は、図９に示す共振器１００に適用される。
【００７５】
以下、図１に示すスイッチ１５０のオン・オフ時間を制御するコントローラ１７０の構成及び動作について詳細に説明する。また、共振器１００がコントローラ１７０の制御よって初期共振周波数を決定する動作からずれた共振周波数を補償する動作について詳細に説明する。
【００７６】
図１０は、図１に示すコントローラの動作方法の一例を説明するための図である。
【００７７】
図１０を参照すると、コントローラ１７０は、インダクター１１０に関する値に基づいてスイッチ１５０の動作時間を制御する。例えば、コントローラ１７０は、インダクター１１０の電流を検出する。コントローラ１７０は、検出された電流の値（又は大きさ）に基づいてスイッチ１５０の動作時間を制御する。
【００７８】
スイッチ１５０の動作時間は、オン時間又はオフ時間を意味する。例えば、スイッチ１５０は半周期毎に動作時間に動作する。
【００７９】
図１及び図２を参照して上述したように、スイッチ１５０がオンされる間に、インダクター１１０に流れる電流が維持されるエネルギー維持区間が存在する。図１０は、インダクター１１０の電流がスイッチ１５０によって電流が維持される状態を示す。
【００８０】
コントローラ１７０は、エネルギー維持区間でスイッチ１５０に流れる電流の値を検出して共振器１００が有するエネルギーをモニタリングする。
【００８１】
コントローラ１７０は、スイッチ１５０の動作時間、例えばオン時間を調整して共振器１００により多くのエネルギーを共振させるスイッチ１５０のオン時間を決定（又は探す）する。
【００８２】
一例として、コントローラ１７０は、サイクルの間に共振を最も円滑にする最適なスイッチ１５０のオン時間を決定し、決定されたオン時間に応じてスイッチ１５０を制御する。
【００８３】
例えば、サイクルは、スイッチ１５０の動作時間の最小動作時間及び最大動作時間に基づいて設定される。他の例として、サイクルは、スイッチ１５０の動作時間に対する変化回数に基づいて設定される。更なる例として、サイクルは、スイッチ１５０の動作時間を変化させる特定時間に基づいて設定される。
【００８４】
上述したように、共振器１００の共振周波数は、スイッチ１５０の決定されたオン時間に基づいて制御される。
【００８５】
図１０では、説明の便宜のために図３に示す共振器の回路図を用いるが、これに限定されることはない。
【００８６】
図１１は、図１０に示す共振器の設定初期に最適な共振周波数を決定する動作方法のフローチャートである。
【００８７】
図１０及び図１１を参照すると、共振器１００の共振周波数の設定初期時、コントローラ１７０は、スイッチ１５０の動作時間ｔｄを第１動作時間ｔｄ．ｍｉｎから第２動作時間ｔｄ．ｍａｘまで連続的に変化させながら最適な共振周波数を決定する（又は探す）。例えば、ｔｄ．ｍｉｎはスイッチ１５０の最小又は短い長さ区間又は動作時間であり、ｔｄ．ｍａｘはスイッチ１５０の最大又は長い長さ区間又は動作時間である。また、ｔｄ．ｍａｘは最長共振周期Ｔに依存する。例えば、スイッチ１５０は、半周期毎に動作時間に動作する。スイッチ１５０の動作時間はオン時間又はオフ時間である。
【００８８】
コントローラ１７０は、第１動作時間ｔｄ．ｍｉｎをスイッチ１５０の動作時間ｔｄに設定する（ステップＳ１１１０）。
【００８９】
共振器１００は、スイッチ１５０の動作時間ｔｄ、即ち第１動作時間ｔｄ．ｍｉｎにより動作する（ステップＳ１１２０）。ここで、コントローラ１７０は、第１動作時間ｔｄ．ｍｉｎを最大共振時間ｔｄ．ｓｅｔとして設定し、スイッチ１５０の第１動作時間ｔｄ．ｍｉｎでスイッチ１５０に流れる電流の値を検出し、検出された電流の値を第１電流値Ｉｓｅｔとして設定する（ステップＳ１１３０）。例えば、第１電流値Ｉｓｅｔは、最大共振時間ｔｄ．ｓｅｔに対応する最大共振電流値を意味する。
【００９０】
コントローラ１７０は、所定時間ｔｓｔｅｐだけ増加したスイッチ１５０の動作時間ｔｄを設定する（ステップＳ１１４０）。
【００９１】
共振器１００は、増加したスイッチ１５０の動作時間ｔｄに基づいて動作する（ステップＳ１１５０）。ここで、コントローラ１７０は、増加したスイッチ１５０の動作時間ｔｄでスイッチ１５０に流れる電流の値を検出し、検出された電流の値を第２電流値Ｉｔｅｍｐとして設定する（ステップＳ１１６０）。例えば、第２電流値Ｉｔｅｍｐは暫定電流値を意味する。
【００９２】
コントローラ１７０は、第１電流値Ｉｓｅｔと第２電流値Ｉｔｅｍｐとを比較する（ステップＳ１１７０）。
【００９３】
第２電流値Ｉｔｅｍｐが第１電流値Ｉｓｅｔよりも大きい場合、コントローラ１７０は、増加したスイッチ１５０の動作時間ｔｄを最大共振時間ｔｄ．ｓｅｔに設定し（ステップＳ１１７３）、第２電流値Ｉｔｅｍｐに設定された暫定電流値を第１電流値Ｉｓｅｔに設定する（ステップＳ１１７５）。
【００９４】
コントローラ１７０は、増加したスイッチ１５０の動作時間ｔｄを第２動作時間ｔｄ．ｍａｘと比較する（ステップＳ１１８０）。例えば、第２動作時間ｔｄ．ｍａｘはスイッチ１５０の最大動作時間である。
【００９５】
増加したスイッチ１５０の動作時間ｔｄが第２動作時間ｔｄ．ｍａｘよりも長い場合、コントローラ１７０は、最大共振時間ｔｄ．ｓｅｔに設定された動作時間を、共振器１００の最適な共振周波数が発生するスイッチ１５０の動作時間ｔｄに決定する（ステップＳ１１９０）。
【００９６】
即ち、共振器１００の共振周波数は、最大共振時間ｔｄ．ｓｅｔに設定された動作時間ｔｄに基づいて決定される。
【００９７】
増加したスイッチ１５０の動作時間ｔｄが第２動作時間ｔｄ．ｍａｘ以下である場合、ステップＳ１１４０〜ステップＳ１１８０を繰り返し実行する。
【００９８】
図１２は、図１０に示す共振器の設定された共振周波数がずれた場合の共振周波数を補償する動作方法のフローチャートである。
【００９９】
図１０及び図１２を参照すると、共振器１００の現在の設定された共振周波数がずれた場合、コントローラ１７０は、スイッチ１５０の動作時間ｔｄを所定時間だけ変化させながら共振周波数を補償する。コントローラ１７０は、スイッチ１５０の動作時間ｔｄに対する変化回数ｋを増やしながら所定回数ｋｍａｘまで補償動作を行う。
【０１００】
現在の設定された共振周波数がずれた場合、コントローラ１７０は変化回数ｋを０に設定する（ステップＳ１２１０）。
【０１０１】
共振器１００は、変化回数ｋに対応するスイッチ１５０の動作時間ｔｄにより動作する（ステップＳ１２２０）。ここで、コントローラ１７０は、スイッチ１５０の動作時間ｔｄでスイッチ１５０に流れる電流の値を検出し、検出された電流の値を第１電流値Ｉｎとして設定する（ステップＳ１２３０）。
【０１０２】
コントローラ１７０は、変化回数ｋを１だけ増やして設定し（ステップＳ１２４０）、設定された変化回数ｋを所定回数ｋｍａｘと比較する（ステップＳ１２４３）。
【０１０３】
設定された変化回数ｋが所定回数ｋｍａｘよりも多い場合、コントローラ１７０は共振周波数を補償する動作を終了する。ここで、コントローラ１７０は、第１電流値Ｉｎに設定された電流の値に対応するスイッチ１５０の動作時間ｔｄを、共振器１００の最適な共振周波数が発生するスイッチ１５０の動作時間として決定し、これを用いて共振器１００の共振周波数を補償する。
【０１０４】
設定された変化回数ｋが所定回数ｋｍａｘ以下である場合、共振器１００は、変化回数ｋに対応するスイッチ１５０の動作時間ｔｄで所定時間ｔｓｔｅｐだけ増加した動作時間ｔｄ＋ｔｓｔｅｐにより動作する（ステップＳ１２４５）。ここで、コントローラ１７０は、スイッチ１５０の動作時間ｔｄ＋ｔｓｔｅｐでスイッチ１５０に流れる電流の値を検出し、検出された電流の値を第２電流値Ｉｎ＋１として設定する（ステップＳ１２４７）。
【０１０５】
コントローラ１７０は、第１電流値Ｉｎと第２電流値Ｉｎ＋１とを比較する（ステップＳ１２５０）。
【０１０６】
第２電流値Ｉｎ＋１が第１電流値Ｉｎよりも大きい場合、コントローラ１７０は、変化回数ｋに対応するスイッチ１５０の動作時間ｔｄで所定時間ｔｓｔｅｐだけ増加した動作時間をスイッチ１５０の動作時間ｔｄに設定し（ステップＳ１２５３）、第２電流値Ｉｎ＋１に設定された電流の値を第１電流値Ｉｎに設定する（ステップＳ１２５５）。設定されたスイッチ１５０の動作時間ｔｄは、設定された変化回数ｋに対応するスイッチ１５０の動作時間である。第１電流値Ｉｎに設定された電流の値は、設定されたスイッチ１５０の動作時間ｔｄに対応する。その後、コントローラ１７０は、ステップＳ１２４０以降のステップを再び実行する。
【０１０７】
第２電流値Ｉｎ＋１が第１電流値Ｉｎ以下である場合、コントローラ１７０は、設定された変化回数ｋを再び１だけ増やして設定し（ステップＳ１２６０）、再設定された変化回数ｋを所定回数ｋｍａｘと比較する（ステップＳ１２６３）。即ち、コントローラ１７０は、ステップＳ１２６０以降のステップを実行する。
【０１０８】
再設定された変化回数ｋが所定回数ｋｍａｘよりも多い場合、コントローラ１７０は共振周波数を補償する動作を終了する。ここで、コントローラ１７０は、第１電流値Ｉｎに設定された電流の値に対応するスイッチ１５０の動作時間ｔｄを、共振器１００の最適な共振周波数が発生するスイッチ１５０の動作時間として決定し、これを用いて共振器１００の共振周波数を補償する。
【０１０９】
再設定された変化回数ｋが所定回数ｋｍａｘ以下である場合、共振器１００は、変化回数ｋに対応するスイッチ１５０の動作時間ｔｄから所定時間ｔｓｔｅｐだけ差し引いた動作時間ｔｄ−ｔｓｔｅｐにより動作する（ステップＳ１２６５）。ここで、コントローラ１７０は、スイッチ１５０の動作時間ｔｄ−ｔｓｔｅｐでスイッチ１５０に流れる電流の値を検出し、検出された電流の値を第２電流値Ｉｎ＋１として設定する（ステップＳ１２６７）。
【０１１０】
コントローラ１７０は、第１電流値Ｉｎと第２電流値Ｉｎ＋１とを比較する（ステップＳ１２７０）。
【０１１１】
第２電流値Ｉｎ＋１が第１電流値Ｉｎよりも大きい場合、コントローラ１７０は、変化回数ｋに対応するスイッチ１５０の動作時間ｔｄから所定時間ｔｓｔｅｐだけ差し引いた動作時間をスイッチ１５０の動作時間ｔｄに設定し（ステップＳ１２７３）、第２電流値Ｉｎ＋１に設定された電流の値を第１電流値Ｉｎに設定する（ステップＳ１２７５）。設定されたスイッチ１５０の動作時間ｔｄは、再設定された変化回数ｋに対応するスイッチ１５０の動作時間である。第１電流値Ｉｎに設定された電流の値は、設定されたスイッチ１５０の動作時間ｔｄに対応する。その後、コントローラ１７０はステップＳ１２６０以降のステップを再び実行する。
【０１１２】
第２電流値Ｉｎ＋１が第１電流値Ｉｎ以下である場合、コントローラ１７０は、ステップＳ１２４０以降のステップを再び実行する。
【０１１３】
図１３は、図１に示すコントローラの動作方法の他の例を説明するための図である。
【０１１４】
図１３を参照すると、コントローラ１７０は、キャパシタ１３０に関する値に基づいてスイッチ１５０の動作時間を制御する。例えば、コントローラ１７０は、キャパシタ１３０の電圧を検出する。コントローラ１７０は、検出された電圧の値（又は大きさ）に基づいてスイッチ１５０の動作時間を制御する。
【０１１５】
スイッチ１５０の動作時間は、オン時間又はオフ時間を意味する。例えば、スイッチ１５０は半周期毎に動作時間に動作する。
【０１１６】
図１及び図２を参照して上述したように、スイッチ１５０がオフされる間に、キャパシタ１３０の両端の電圧が維持されるエネルギー維持区間が存在する。図１３は、電気エネルギーがキャパシタ１３０に格納されて所定電圧が維持される状態を示す。
【０１１７】
コントローラ１７０は、エネルギー維持区間でキャパシタ１３０の両端に負荷される電圧の値を検出して共振器１００が有するエネルギーをモニタリングする。
【０１１８】
コントローラ１７０は、スイッチ１５０の動作時間、例えばオフ時間を調整して共振器１００により多くのエネルギーを共振させるスイッチ１５０のオフ時間を決定（又は探す）する。
【０１１９】
一例として、コントローラ１７０は、サイクルの間に共振を最も円滑にする最適なスイッチ１５０のオフ時間を決定し、決定されたオフ時間に応じてスイッチ１５０を制御する。
【０１２０】
例えば、サイクルは、スイッチ１５０の動作時間の最小動作時間及び最大動作時間に基づいて設定される。他の例として、サイクルは、スイッチ１５０の動作時間に対する変化回数に基づいて設定される。更なる例として、サイクルは、スイッチ１５０の動作時間を変化させる特定時間に基づいて設定される。
【０１２１】
上述したように、共振器１００の共振周波数は、スイッチ１５０の決定されたオフ時間に基づいて制御される。
【０１２２】
図１３では、説明の便宜のために図４に示す共振器の回路図を用いるが、これに限定されることはない。
【０１２３】
図１４は、図１３に示す共振器の設定初期に最適な共振周波数を決定する動作方法のフローチャートである。
【０１２４】
図１３及び図１４を参照すると、共振器１００の共振周波数の設定初期時、コントローラ１７０は、スイッチ１５０の動作時間ｔｄを第１動作時間ｔｄ．ｍｉｎから第２動作時間ｔｄ．ｍａｘまで連続的に変化させながら最適な共振周波数を決定（又は探す）する。例えば、ｔｄ．ｍｉｎはスイッチ１５０の最小又は短い長さ区間又は動作時間であり、ｔｄ．ｍａｘはスイッチ１５０の最大又は長い長さ区間又は動作時間である。また、ｔｄ．ｍａｘは最長共振周期Ｔに依存する。例えば、スイッチ１５０は、半周期毎に動作時間に動作する。スイッチ１５０の動作時間はオン時間又はオフ時間である。
【０１２５】
コントローラ１７０は、第１動作時間ｔｄ．ｍｉｎをスイッチ１５０の動作時間ｔｄに設定する（ステップＳ１４１０）。
【０１２６】
共振器１００は、スイッチ１５０の動作時間ｔｄ、即ち第１動作時間ｔｄ．ｍｉｎにより動作する（ステップＳ１４２０）。ここで、コントローラ１７０は、第１動作時間ｔｄ．ｍｉｎを最大共振時間ｔｄ．ｓｅｔとして設定し、スイッチ１５０の第１動作時間ｔｄ．ｍｉｎでキャパシタ１３０の電圧の値を検出し、検出された電圧の値を第１電圧値Ｖｓｅｔとして設定する（ステップＳ１４３０）。例えば、第１電圧値Ｖｓｅｔは、最大共振時間ｔｄ．ｓｅｔに対応する最大共振電圧値を意味する。
【０１２７】
コントローラ１７０は、所定時間ｔｓｔｅｐだけ増加したスイッチ１５０の動作時間ｔｄを設定する（ステップＳ１４４０）。
【０１２８】
共振器１００は、増加したスイッチ１５０の動作時間ｔｄに基づいて動作する（ステップＳ１４５０）。ここで、コントローラ１７０は、増加したスイッチ１５０の動作時間ｔｄでキャパシタ１３０の電圧の値を検出し、検出された電圧の値を第２電圧値Ｖｔｅｍｐとして設定する（ステップＳ１４６０）。例えば、第２電圧値Ｖｔｅｍｐは暫定電圧値を意味する。
【０１２９】
コントローラ１７０は、第１電圧値Ｖｓｅｔと第２電圧値Ｖｔｅｍｐとを比較する（ステップＳ１４７０）。
【０１３０】
第２電圧値Ｖｔｅｍｐが第１電圧値Ｖｓｅｔよりも大きい場合、コントローラ１７０は、増加したスイッチ１５０の動作時間ｔｄを最大共振時間ｔｄ．ｓｅｔに設定し（ステップＳ１４７３）、第２電圧値Ｖｔｅｍｐに設定された暫定電圧値を第１電圧値Ｖｓｅｔに設定する（ステップＳ１４７５）。
【０１３１】
コントローラ１７０は、増加したスイッチ１５０の動作時間ｔｄを第２動作時間ｔｄ．ｍａｘと比較する（ステップＳ１４８０）。例えば、第２動作時間ｔｄ．ｍａｘはスイッチ１５０の最大動作時間である。
【０１３２】
増加したスイッチ１５０の動作時間ｔｄが第２動作時間ｔｄ．ｍａｘよりも長い場合、コントローラ１７０は、最大共振時間ｔｄ．ｓｅｔに設定された動作時間を、共振器１００の最適な共振周波数が発生するスイッチ１５０の動作時間ｔｄに決定する（ステップＳ１４９０）。
【０１３３】
即ち、共振器１００の共振周波数は、最大共振時間ｔｄ．ｓｅｔに設定された動作時間ｔｄに基づいて決定される。
【０１３４】
増加したスイッチ１５０の動作時間ｔｄが第２動作時間ｔｄ．ｍａｘ以下である場合、ステップＳ１４４０〜ステップＳ１４８０を繰り返し実行する。
【０１３５】
図１５は、図１３に示す共振器の設定された共振周波数がずれた場合の共振周波数を補償する動作方法のフローチャートである。
【０１３６】
図１３及び図１５を参照すると、共振器１００の現在の設定された共振周波数がずれた場合、コントローラ１７０は、スイッチ１５０の動作時間ｔｄを所定時間だけ変化させながら共振周波数を補償する。コントローラ１７０は、スイッチ１５０の動作時間ｔｄに対する変化回数ｋを増やしながら所定回数ｋｍａｘまで補償動作を行う。
【０１３７】
現在の設定された共振周波数がずれた場合、コントローラ１７０は変化回数ｋを０に設定する（ステップＳ１５１０）。
【０１３８】
共振器１００は、変化回数ｋに対応するスイッチ１５０の動作時間ｔｄにより動作する（ステップＳ１５２０）。ここで、コントローラ１７０は、スイッチ１５０の動作時間ｔｄでキャパシタ１３０の電圧の値を検出し、検出された電圧の値を第１電圧値Ｖｎとして設定する（ステップＳ１５３０）。
【０１３９】
コントローラ１７０は、変化回数ｋを１だけ増やして設定し（ステップＳ１５４０）、設定された変化回数ｋを所定回数ｋｍａｘと比較する（ステップＳ１５４３）。
【０１４０】
設定された変化回数ｋが所定回数ｋｍａｘよりも多い場合、コントローラ１７０は共振周波数を補償する動作を終了する。ここで、コントローラ１７０は、第１電圧値Ｖｎに設定された電圧の値に対応するスイッチ１５０の動作時間ｔｄを、共振器１００の最適な共振周波数が発生するスイッチ１５０の動作時間として決定し、これを用いて共振器１００の共振周波数を補償する。
【０１４１】
設定された変化回数ｋが所定回数ｋｍａｘ以下である場合、共振器１００は、変化回数ｋに対応するスイッチ１５０の動作時間ｔｄで所定時間ｔｓｔｅｐだけ増加した動作時間ｔｄ＋ｔｓｔｅｐにより動作する（ステップＳ１５４５）。ここで、コントローラ１７０は、スイッチ１５０の動作時間ｔｄ＋ｔｓｔｅｐでスイッチ１５０に流れる電圧の値を検出し、検出された電圧の値を第２電圧値Ｖｎ＋１として設定する（ステップＳ１５４７）。
【０１４２】
コントローラ１７０は、第１電圧値Ｖｎと第２電圧値Ｖｎ＋１とを比較する（ステップＳ１５５０）。
【０１４３】
第２電圧値Ｖｎ＋１が第１電圧値Ｖｎよりも大きい場合、コントローラ１７０は、変化回数ｋに対応するスイッチ１５０の動作時間ｔｄで所定時間ｔｓｔｅｐだけ増加した動作時間をスイッチ１５０の動作時間ｔｄに設定し（ステップＳ１５５３）、第２電圧値Ｖｎ＋１に設定された電圧の値を第１電圧値Ｖｎに設定する（ステップＳ１５５５）。設定されたスイッチ１５０の動作時間ｔｄは、設定された変化回数ｋに対応するスイッチ１５０の動作時間である。第１電圧値Ｖｎに設定された電圧の値は、設定されたスイッチ１５０の動作時間ｔｄに対応する。その後、コントローラ１７０は、ステップＳ１５４０以降のステップを再び実行する。
【０１４４】
第２電圧値Ｖｎ＋１が第１電圧値Ｖｎ以下である場合、コントローラ１７０は、設定された変化回数ｋを再び１だけ増やして設定し（ステップＳ１５６０）、再設定された変化回数ｋを所定回数ｋｍａｘと比較する（ステップＳ１５６３）。即ち、コントローラ１７０は、ステップＳ１５６０以降のステップを実行する。
【０１４５】
再設定された変化回数ｋが所定回数ｋｍａｘよりも多い場合、コントローラ１７０は、共振周波数を補償する動作を終了する。ここで、コントローラ１７０は、第１電圧値Ｖｎに設定された電圧の値に対応するスイッチ１５０の動作時間ｔｄを、共振器１００の最適な共振周波数が発生するスイッチ１５０の動作時間として決定し、これを用いて共振器１００の共振周波数を補償する。
【０１４６】
再設定された変化回数ｋが所定回数ｋｍａｘ以下である場合、共振器１００は、変化回数ｋに対応するスイッチ１５０の動作時間ｔｄから所定時間ｔｓｔｅｐだけ差し引いた動作時間ｔｄ−ｔｓｔｅｐにより動作する（ステップＳ１５６５）。ここで、コントローラ１７０は、スイッチ１５０の動作時間ｔｄ−ｔｓｔｅｐでスイッチ１５０に流れる電圧の値を検出し、検出された電圧の値を第２電圧値Ｖｎ＋１として設定する（ステップＳ１５６７）。
【０１４７】
コントローラ１７０は、第１電圧値Ｖｎと第２電圧値Ｖｎ＋１とを比較する（ステップＳ１５７０）。
【０１４８】
第２電圧値Ｖｎ＋１が第１電圧値Ｖｎよりも大きい場合、コントローラ１７０は、変化回数ｋに対応するスイッチ１５０の動作時間ｔｄから所定時間ｔｓｔｅｐだけ差し引いた動作時間をスイッチ１５０の動作時間ｔｄに設定し（ステップＳ１５７３）、第２電圧値Ｖｎ＋１に設定された電圧の値を第１電圧値Ｖｎに設定する（ステップＳ１５７５）。設定されたスイッチ１５０の動作時間ｔｄは、再設定された変化回数ｋに対応するスイッチ１５０の動作時間である。第１電圧値Ｖｎに設定された電圧の値は、設定されたスイッチ１５０の動作時間ｔｄに対応する。その後、コントローラ１７０は、ステップＳ１５６０以降のステップを再び実行する。
【０１４９】
第２電圧値Ｖｎ＋１が第１電圧値Ｖｎ以下である場合、コントローラ１７０は、ステップＳ１５４０以降のステップを再び実行する。
【０１５０】
図１６は、図１に示すコントローラの動作方法の更なる例を説明するための図である。
【０１５１】
図１６を参照すると、コントローラ１７０は、キャパシタ１３０に関する値に基づいてスイッチ１５０の動作時間を制御する。例えば、コントローラ１７０は、キャパシタ１３０の電圧のピークを検出する。コントローラ１７０は、検出された電圧のピーク値（又は大きさ）に基づいてスイッチ１５０の動作時間を制御する。
【０１５２】
スイッチ１５０の動作時間は、オン時間又はオフ時間を意味する。例えば、スイッチ１５０は半周期毎に動作時間に動作する。
【０１５３】
図１及び図２を参照して上述したように、スイッチ１５０がオンされる間に、インダクター１１０に流れる電流が維持されるエネルギー維持区間が存在する。
【０１５４】
コントローラ１７０は、エネルギー維持区間でキャパシタ１３０の両端に負荷される電圧のピーク値を検出して共振器１００が有するエネルギーをモニタリングする。
【０１５５】
コントローラ１７０は、スイッチ１５０の動作時間を調整して共振器１００により多くのエネルギーを共振させるスイッチ１５０の動作時間を決定（又は探す）する。
【０１５６】
一例として、コントローラ１７０は、サイクルの間の共振を最も円滑にする最適なスイッチ１５０の動作時間を決定し、決定された動作時間に応じてスイッチ１５０を制御する。
【０１５７】
例えば、サイクルは、スイッチ１５０の動作時間の最小動作時間及び最大動作時間に基づいて設定される。他の例として、サイクルは、スイッチ１５０の動作時間に対する変化回数に基づいて設定される。更なる例として、サイクルはスイッチ１５０の動作時間を変化させる特定時間に基づいて設定される。
【０１５８】
上述したように、共振器１００の共振周波数は、スイッチ１５０の決定された動作時間に基づいて制御される。
【０１５９】
また、コントローラ１７０は、エネルギーの維持区間だけではなく、続けてキャパシタ１３０の電圧のピークをモニタリングする。
【０１６０】
図１６では、説明の便宜のために図３に示す共振器の回路図を用いるが、これに限定されることはない。
【０１６１】
図１７は、図１６に示す共振器の設定初期に最適な共振周波数を決定する動作方法のフローチャートである。
【０１６２】
図１６及び図１７を参照すると、共振器１００の共振周波数の設定初期時、コントローラ１７０は、スイッチ１５０の動作時間ｔｄを第１動作時間ｔｄ．ｍｉｎから第２動作時間ｔｄ．ｍａｘまで連続的に変化させながら最適な共振周波数を決定（又は探す）する。例えば、ｔｄ．ｍｉｎはスイッチ１５０の最小又は短い長さ区間又は動作時間であり、ｔｄ．ｍａｘはスイッチ１５０の最大又は長い長さ区間又は動作時間である。また、ｔｄ．ｍａｘは最長共振周期Ｔに依存する。例えば、スイッチ１５０は、半周期毎に動作時間に動作する。スイッチ１５０の動作時間はオン時間又はオフ時間である。
【０１６３】
コントローラ１７０は、第１動作時間ｔｄ．ｍｉｎをスイッチ１５０の動作時間ｔｄに設定する（ステップＳ１７１０）。例えば、第１動作時間ｔｄ．ｍｉｎはスイッチ１５０の最小動作時間である。
【０１６４】
共振器１００は、スイッチ１５０の動作時間ｔｄ、即ち第１動作時間ｔｄ．ｍｉｎにより動作する（ステップＳ１７２０）。ここで、コントローラ１７０は、第１動作時間ｔｄ．ｍｉｎを最大共振時間ｔｄ．ｓｅｔとして設定し、スイッチ１５０の第１動作時間ｔｄ．ｍｉｎでキャパシタ１３０の電圧のピーク値を検出し、検出された電圧のピーク値を第１電圧ピーク値Ｖｐｋ．ｓｅｔとして設定する（ステップＳ１７３０）。例えば、第１電圧ピーク値Ｖｐｋ．ｓｅｔは、最大共振時間ｔｄ．ｓｅｔに対応する最大共振電圧ピーク値を意味する。
【０１６５】
コントローラ１７０は、所定時間ｔｓｔｅｐだけ増加したスイッチ１５０の動作時間ｔｄを設定する（ステップＳ１７４０）。
【０１６６】
共振器１００は、増加したスイッチ１５０の動作時間ｔｄに基づいて動作する（ステップＳ１７５０）。ここで、コントローラ１７０は、増加したスイッチ１５０の動作時間ｔｄでキャパシタ１３０の電圧のピーク値を検出し、検出された電圧のピーク値を第２電圧ピーク値Ｖｐｋ．ｔｅｍｐとして設定する（ステップＳ１７６０）。例えば、第２電圧ピーク値Ｖｐｋ．ｔｅｍｐは暫定電圧ピーク値を意味する。
【０１６７】
コントローラ１７０は、第１電圧ピーク値Ｖｐｋ．ｓｅｔと第２電圧ピーク値Ｖｐｋ．ｔｅｍｐとを比較する（ステップＳ１７７０）。
【０１６８】
第２電圧ピーク値Ｖｐｋ．ｔｅｍｐが第１電圧ピーク値Ｖｐｋ．ｓｅｔよりも大きい場合、コントローラ１７０は、増加したスイッチ１５０の動作時間ｔｄを最大共振時間ｔｄ．ｓｅｔに設定し（ステップＳ１７７３）、第２電圧ピーク値Ｖｐｋ．ｔｅｍｐに設定された暫定電圧ピーク値を第１電圧ピーク値Ｖｐｋ．ｓｅｔに設定する（ステップＳ１７７５）。
【０１６９】
コントローラ１７０は、増加したスイッチ１５０の動作時間ｔｄを第２動作時間ｔｄ．ｍａｘと比較する（ステップＳ１７８０）。例えば、第２動作時間ｔｄ．ｍａｘはスイッチ１５０の最大動作時間である。
【０１７０】
増加したスイッチ１５０の動作時間ｔｄが第２動作時間ｔｄ．ｍａｘよりも長い場合、コントローラ１７０は、最大共振時間ｔｄ．ｓｅｔに設定された動作時間を、共振器１００の最適な共振周波数が発生するスイッチ１５０の動作時間ｔｄに決定する（ステップＳ１７９０）。
【０１７１】
即ち、共振器１００の共振周波数は、最大共振時間ｔｄ．ｓｅｔに設定された動作時間ｔｄに基づいて決定される。
【０１７２】
増加したスイッチ１５０の動作時間ｔｄが第２動作時間ｔｄ．ｍａｘ以下である場合、ステップＳ１７４０〜ステップＳ１７８０を繰り返し実行する。
【０１７３】
図１８は、図１６に示す共振器の設定された共振周波数がずれた場合の共振周波数を補償する動作方法のフローチャートである。
【０１７４】
図１６及び図１８を参照すると、共振器１００の現在の設定された共振周波数がずれた場合、コントローラ１７０は、スイッチ１５０の動作時間ｔｄを所定時間だけ変化させながら共振周波数を補償する。コントローラ１７０は、スイッチ１５０の動作時間ｔｄに対する変化回数ｋを増やしながら所定回数ｋｍａｘまで補償動作を行う。
【０１７５】
現在の設定された共振周波数がずれた場合、コントローラ１７０は変化回数ｋを０に設定する（ステップＳ１８１０）。
【０１７６】
共振器１００は、変化回数ｋに対応するスイッチ１５０の動作時間ｔｄにより動作する（ステップＳ１８２０）。ここで、コントローラ１７０は、スイッチ１５０の動作時間ｔｄでキャパシタ１３０の電圧のピーク値を検出し、検出された電圧のピーク値を第１電圧ピーク値Ｖｐｋ．ｎとして設定する（ステップＳ１８３０）。
【０１７７】
コントローラ１７０は、変化回数ｋを１だけ増やして設定し（ステップＳ１８４０）、設定された変化回数ｋを所定回数ｋｍａｘと比較する（ステップＳ１８４３）。
【０１７８】
設定された変化回数ｋが所定回数ｋｍａｘよりも多い場合、コントローラ１７０は共振周波数を補償する動作を終了する。ここで、コントローラ１７０は、第１電圧ピーク値Ｖｐｋ．ｎに設定された電圧のピーク値に対応するスイッチ１５０の動作時間ｔｄを、共振器１００の最適な共振周波数が発生するスイッチ１５０の動作時間として決定し、これを用いて共振器１００の共振周波数を補償する。
【０１７９】
設定された変化回数ｋが所定回数ｋｍａｘ以下である場合、共振器１００は、変化回数ｋに対応するスイッチ１５０の動作時間ｔｄで所定時間ｔｓｔｅｐだけ増加した動作時間ｔｄ＋ｔｓｔｅｐにより動作する（ステップＳ１８４５）。ここで、コントローラ１７０は、スイッチ１５０の動作時間ｔｄ＋ｔｓｔｅｐでスイッチ１５０に流れる電圧のピーク値を検出し、検出された電圧のピーク値を第２電圧ピーク値Ｖｐｋ．ｎ＋１として設定する（ステップＳ１８４７）。
【０１８０】
コントローラ１７０は、第１電圧ピーク値Ｖｐｋ．ｎと第２電圧ピーク値Ｖｐｋ．ｎ＋１とを比較する（ステップＳ１８５０）。
【０１８１】
第２電圧ピーク値Ｖｐｋ．ｎ＋１が第１電圧ピーク値Ｖｐｋ．ｎよりも大きい場合、コントローラ１７０は、変化回数ｋに対応するスイッチ１５０の動作時間ｔｄで所定時間ｔｓｔｅｐだけ増加した動作時間をスイッチ１５０の動作時間ｔｄに設定し（ステップＳ１８５３）、第２電圧ピーク値Ｖｐｋ．ｎ＋１に設定された電圧のピーク値を第１電圧ピーク値Ｖｐｋ．ｎに設定する（ステップＳ１８５５）。設定されたスイッチ１５０の動作時間ｔｄは、設定された変化回数ｋに対応するスイッチ１５０の動作時間である。第１電圧ピーク値Ｖｐｋ．ｎに設定された電圧のピーク値は、設定されたスイッチ１５０の動作時間ｔｄに対応する。その後、コントローラ１７０は、ステップＳ１８４０以降のステップを再び実行する。
【０１８２】
第２電圧ピーク値Ｖｐｋ．ｎ＋１が第１電圧ピーク値Ｖｐｋ．ｎ以下である場合、コントローラ１７０は、設定された変化回数ｋを再び１だけ増やして設定し（ステップＳ１８６０）、再設定された変化回数ｋを所定回数ｋｍａｘと比較する（ステップＳ１８６３）。即ち、コントローラ１７０は、ステップＳ１８６０以降のステップを実行する。
【０１８３】
再設定された変化回数ｋが所定回数ｋｍａｘよりも多い場合、コントローラ１７０は、共振周波数を補償する動作を終了する。ここで、コントローラ１７０は、第１電圧ピーク値Ｖｐｋ．ｎに設定された電圧のピーク値に対応するスイッチ１５０の動作時間ｔｄを、共振器１００の最適な共振周波数が発生するスイッチ１５０の動作時間として決定し、これを用いて共振器１００の共振周波数を補償する。
【０１８４】
再設定された変化回数ｋが所定回数ｋｍａｘ以下である場合、共振器１００は、変化回数ｋに対応するスイッチ１５０の動作時間ｔｄから所定時間ｔｓｔｅｐだけ差し引いた動作時間ｔｄ−ｔｓｔｅｐにより動作する（ステップＳ１８６５）。ここで、コントローラ１７０は、スイッチ１５０の動作時間ｔｄ−ｔｓｔｅｐでスイッチ１５０に流れる電圧のピーク値を検出し、検出された電圧のピーク値を第２電圧ピーク値Ｖｐｋ．ｎ＋１として設定する（ステップＳ１８６７）。
【０１８５】
コントローラ１７０は、第１電圧ピーク値Ｖｐｋ．ｎと第２電圧ピーク値Ｖｐｋ．ｎ＋１とを比較する（ステップＳ１８７０）。
【０１８６】
第２電圧ピーク値Ｖｐｋ．ｎ＋１が第１電圧ピーク値Ｖｐｋ．ｎよりも大きい場合、コントローラ１７０は、変化回数ｋに対応するスイッチ１５０の動作時間ｔｄから所定時間ｔｓｔｅｐだけ差し引いた動作時間をスイッチ１５０の動作時間ｔｄに設定し（ステップＳ１８７３）、第２電圧ピーク値Ｖｐｋ．ｎ＋１に設定された電圧のピーク値を第１電圧ピーク値Ｖｐｋ．ｎに設定する（ステップＳ１８７５）。設定されたスイッチ１５０の動作時間ｔｄは、再設定された変化回数ｋに対応するスイッチ１５０の動作時間である。第１電圧ピーク値Ｖｐｋ．ｎに設定された電圧のピーク値は、設定されたスイッチ１５０の動作時間ｔｄに対応する。その後、コントローラ１７０は、ステップＳ１８６０以降のステップを再び実行する。
【０１８７】
第２電圧ピーク値Ｖｐｋ．ｎ＋１が第１電圧ピーク値Ｖｐｋ．ｎ以下である場合、コントローラ１７０はステップＳ１８４０以降のステップを再び実行する。
【０１８８】
図１９は、図１に示す共振器の動作方法を説明するためのフローチャートである。
【０１８９】
図１９を参照すると、コントローラ１７０は、インダクター１１０及びキャパシタ１３０のうちの少なくとも１つに関する値を検出する（ステップＳ１９１０）。
【０１９０】
コントローラ１７０は、検出結果に基づいてインダクター１１０及びキャパシタ１３０のうちの少なくとも１つにエネルギーを所定時間の間に維持させるためのスイッチの動作を制御する（ステップＳ１９２０）。
【０１９１】
本実施形態による方法は、多様なコンピュータ手段を介して様々な処理を実行するプログラム命令の形態で具現され、コンピュータ読み取り可能な記録媒体に記録され得る。コンピュータ読み取り可能な記録媒体は、プログラム命令、データファイル、データ構造などのうちの１つ又はその組合せを含む。記録媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれる。プログラム命令の例には、コンパイラによって作られるような機械語コードだけでなく、インタープリタなどを用いてコンピュータによって実行される高級言語コードが含まれる。ハードウェア装置は、本発明の動作を実行するために１つ以上のソフトウェアモジュールとして動作するように構成されてもよく、その逆も同様である。
【０１９２】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１９３】
１００    共振器
１１０    インダクター
１３０    キャパシタ
１５０    スイッチ
１５１    第１スイッチ
１５３    第２スイッチ
１７０    コントローラ
【図１】
2017098956.tif 000008
【図２】
2017098956.tif 000009
【図３】
2017098956.tif 000010
【図４】
2017098956.tif 000011
【図５】
2017098956.tif 000012
【図６】
2017098956.tif 000013
【図７】
2017098956.tif 000014
【図８】
2017098956.tif 000015
【図９】
2017098956.tif 000016
【図１０】
2017098956.tif 000017
【図１１】
2017098956.tif 000018
【図１２】
2017098956.tif 000019
【図１３】
2017098956.tif 000020
【図１４】
2017098956.tif 000021
【図１５】
2017098956.tif 000022
【図１６】
2017098956.tif 000023
【図１７】
2017098956.tif 000024
【図１８】
2017098956.tif 000025
【図１９】
2017098956.tif 000026